(57)【要約】【課題】全体構造の大型化を抑え、乾燥終了後の接続部材側への余熱の流れ込みを防止することのできる使い勝手のよいふとん乾燥機を得る。【解決手段】内部に温風発生装置９，１２を有する本体１と、本体１に接続され外部に温風を供給する接続部材１７とを備えてなり、一端が温風発生装置９，１２に接続され他端が接続部材１７に接続された温風吹出口１３ａを有する温風排出管１３を本体１に設け、風圧によって開閉するシャッター１４を温風排出管１３の温風吹出口１３ａに設けたものである。【選択図】        図１
2004181151.tif 000002
【特許請求の範囲】
【請求項１】
内部に温風発生装置を有する本体と、該本体に接続され外部に温風を供給する接続部材とを備えてなり、
前記温風発生装置と接続部材との間に風圧によって開閉するシャッターを設けたことを特徴とするふとん乾燥機。
【請求項２】
本体に一端が温風発生装置に接続され他端が接続部材に接続された温風吹出口を有する温風排出管を設け、シャッターを前記温風排出管の温風吹出口に設けたことを特徴とする請求項１記載のふとん乾燥機。
【請求項３】
本体に排気口を設けるとともに、温風排出管の周壁のシャッターが設けられている位置より温風発生装置側に連通風路を介して前記排気口に連通する排気穴を設け、前記シャッターが風圧によって開いたときに前記排気穴を該シャッターによって閉口するようにしたことを特徴とする請求項２記載のふとん乾燥機。
【請求項４】
シャッターを、温風排出管の内径とほぼ等しい大きさで複数に分割されたシャッター片と、前記温風排出管の周壁に回転可能に設けられ前記シャッター片が取り付けられた複数のシャッター軸と、前記温風排出管の周壁の前記シャッター軸の両端部の近傍に前記シャッター片の回動を規制するストッパーとにより構成したことを特徴とする請求項２または３に記載のふとん乾燥機。
【請求項５】
シャッター軸を、上面から見て本体の長手方向でほぼ同一平面上に平行になるように設けたことを特徴とする請求項４記載のふとん乾燥機。
【発明の詳細な説明】
【０００１】
【発明の属する技術分野】
本発明は、温風によりふとん等を乾燥させるふとん乾燥機に関するものである。
【０００２】
【従来の技術】
従来のふとん乾燥機は、本体を隔壁により縦に２分割して、一方に温風発生装置を有する電装部を設け、他方に乾燥袋を収納する収納部を設けて、温風発生装置と連通する温風吹出口に乾燥袋を接続したままで収納部に乾燥袋を折り畳まなくても収納される構成となっている（例えば、特許文献１参照）。
【０００３】
【特許文献１】
特開平６−３１６９４号公報（第４−７頁、図１）
【０００４】
【発明が解決しようとする課題】
従来のふとん乾燥機は、ふとん等の乾燥終了後、乾燥袋および乾燥袋と本体とを接続している接続部材を適当に折り畳んだり折り曲げたりして、収納部に収納できるように構成されている。しかしながら、ふとん等の乾燥が終了すると、温風発生装置のファンモーターとヒーターは同時に通電がＯＦＦ状態になるので、ヒーターが十分冷却されない状態でファンが止まってしまう。このため、ヒーターの余熱が上昇気流によって温風吹出口に接続された接続部材および乾燥袋に流れ込み、接続部材および乾燥袋が高温にさらされてしまっていた。これにより、接続部材および乾燥袋は、乾燥が終了しても高温状態が続いてしまって収納部に収納することができず、場合によっては熱変形してしまうなどの問題があった。
【０００５】
また、乾燥時、温風発生装置のファンが回転しないなどの異常が発生してヒーターのみが通電した場合、ヒーターの部分には安全装置が設けられているものの、安全装置が作動する温度は通常高温に設定されているため、安全装置が作動するまでにある程度の時間がかかってしまい、その間にヒーターで温められた空気が上昇気流によって接続部材および乾燥袋に流れ込み、上記と同様に接続部材および乾燥袋が熱変形してしまうなどの問題がった。
【０００６】
そこで、ヒーターと温風吹出口との距離をとり、その間で余熱（空気）を冷却することが考えられるが、ふとん乾燥機全体の構造が大きくなってしまい、コスト高で取り扱いが不便になってしまうおそれがあった。そして、このような構造にしてしまうと、ふとん乾燥の時間を短縮させるための消費電力のアップなどをさせる場合に、さらに構造が大型化してしまうおそれがあった。
【０００７】
本発明は、上記のような課題を解決するためになされたもので、全体構造の大型化を抑え、乾燥終了後の接続部材側への余熱の流れ込みを防止することのできる使い勝手のよいふとん乾燥機を得ることを目的としたものである。
【０００８】
【課題を解決するための手段】
本発明に係るふとん乾燥機は、内部に温風発生装置を有する本体と、本体に接続され外部に温風を供給する接続部材とを備えてなり、温風発生装置と接続部材との間に風圧によって開閉するシャッターを設けたものである。
【０００９】
【発明の実施の形態】
実施の形態１．
図１は本発明の実施の形態１の断面で示した正面図、図２は本発明の実施の形態１の側断面図、図３は図２の要部の拡大断面図である。図において、上部が開口した正面縦長の矩形状に形成されたふとん乾燥機の本体１は、前ケース２と後ケース３とによってその外郭が形成されており、前ケース２および後ケース３には隔壁４が設けられていて、前ケースと後ケース３とを嵌合することによって本体１内が収納室５と電装室６の二つの部屋に区画されるように構成されている。また、本体１の上端部には、後ケース３に設けられたヒンジ２０により収納蓋１９が開閉自在に取り付けられている。
【００１０】
電装室６は、モーター７およびそのモーター７により駆動されるファン８からなる送風発生装置９と、ファン８の上方に設けられ内部にヒーター１０および安全装置１１が設けられたヒーターケース１２とを備えており、送風発生装置９とヒーターケース１２によって温風発生装置が構成されている。また、ヒーターケース１２（温風発生装置）の上端部には、一端がヒーターケース１２に接続され他端が隔壁４を貫通して突出した収納蓋１９側（外部側）に開口している温風吹出口１３ａを有する温風排出管１３が設けられており、温風排出管１３の内側には、風圧によって温風吹出口１３ａを開閉するシャッター１４が設けられている。
【００１１】
シャッター１４は、耐熱性の材料によって構成され、図４に示すように、温風排出管１３の内径（温風吹出口１３ａの開口径）とほぼ等しい大きさに形成されて複数（ここでは６枚）のシャッター片１４ａ，１４ｂに分割されている。そして、この実施の形態１では、大きい二つのシャッター片（第１のシャッター片）１４ａが中央部に対向して配設され、小さい４つのシャッター片（第２のシャッター片）１４ｂがその両側にそれぞれ対向して配設されている。また、温風排出管１３（温風吹出口１３ａ）の周壁に、上面から見て本体１の長手方向（図１の左右方向）でほぼ同一平面上に平行に複数（ここでは４本）のシャッター軸１５ａ，１５ｂが回転可能に設けられており、第１のシャッター軸１５ａは、温風排出管１３（温風吹出口１３ａ）の周壁に近い位置の両側に対向して設けられ、第２のシャッター軸１５ｂは、その内側に対向して設けられている。そして、第１のシャッター軸１５ａには第１のシャッター片１４ａがそれぞれ取り付けられ、第２のシャッター軸１５ｂには第２のシャッター片１４ｂがそれぞれ取り付けられている。また、温風排出管１３（温風吹出口１３ａ）の周壁には、第１および第２のシャッター軸１５ａ，１５ｂの各両端部の近傍（ここでは外方側）において、それぞれストッパー１６が設けられており、第１および第２のシャッター片１４ａ，１４ｂは、送風発生装置９側からの風圧によって第１および第２のシャッター軸１５ａ，１５ｂを中心に各シャッター片１４ａ，１４ｂが対向している側（シャッター１４の中心部側）が開くように上方に回動し、ストッパー１６によってその回動が水平から鋭角の範囲内で規制される。
【００１２】
収納室５は、一端が温風排出管１３に連通するように接続された伸縮自在で蛇腹状の接続部材１７と、接続部材１７の他端が接続され、使用時において全面から温風が吹き出る乾燥袋１８とを備えており、不使用時においてほぼＬ字状に折り曲げられた接続部材１７および適当に畳まれた乾燥袋１８が収納される。なお、接続部材１７は熱可塑性材料によって構成されている。
【００１３】
このように構成したこの実施の形態１において、ふとんを乾燥する場合、まず、ふとん乾燥機の本体１を立たせた状態で収納蓋１９を開けて、収納室５内の接続部材１７と乾燥袋１８とを取り出し、乾燥袋１８を敷きふとんと掛けふとんの間に設置する。ついで、本体１（前ケース２側）に設けられた操作部２１を操作すると、モーター７およびヒーター１０が通電されて外気が送風発生装置９に取り込まれ、ヒーターケース１２へと送り込まれる。そして、外気はヒーターケース１２内で温められて温風となり、温風排出管１３の温風吹出口１３ａから接続部材１７に送られる。このとき、温風排出管１３（温風吹出口１３ａ）に設けられたシャッター１４の各シャッター片１４ａ，１４ｂは、風圧によって各シャッター軸１５ａ，１５ｂを中心にストッパー１６に当たるまで回動し、温風吹出口１３ａを開口する。次に、接続部材１７へと送られた温風は、乾燥袋１８の全面から吹き出して敷きふとんおよび掛けふとんを通過し、それぞれの湿気を除去する。これを所定時間行い、各ふとんを乾燥する。
【００１４】
所定時間の乾燥が終了すると、送風発生装置９およびヒーター１０は自動的に同時に通電ＯＦＦ状態となる。このとき、風圧によって上方に回動していたシャッター１４の各シャッター片１４ａ，１４ｂは、自重によって元の状態に戻り、温風吹出口１３ａを閉口させて、まだ冷めていない状態のヒーター１０による余熱の接続部材１７側への流れ込みを防止する。そして、敷きふとんと掛けふとんの間に設置していた乾燥袋１８を取り出し、乾燥袋１８を適当の大きさに折り畳みながら収納室５内に収納しつつ接続部材１７をほぼＬ字状に折り曲げ、収納蓋１９を閉める。
【００１５】
また、ふとん乾燥機の本体１を寝かせて使用する場合は、まず、収納蓋１９を開けて接続部材１７および乾燥袋１８を取り出した後、図５に示すように、本体１の後ケース３の下部に設けた突起部２２を支点に後ケース３が床面Ｆに対向するようにゆっくりと倒し、本体１を持ち運ぶ際に用いられる正面円弧状に形成されたハンドル２３によって、本体１を傾斜した状態に支持する。このとき、第１および第２のシャッター軸１５ａ，１５ｂは、床面Ｆに対してほぼ平行となるため、図６に示すように、床面Ｆ側（下側）に位置する第１および第２のシャッター片１４ａ，１４ｂは、それぞれの自重によって開いた状態（温風吹出口１３ａの下半分が開口した状態）となり、床面Ｆから離れた側（上側）に位置する第１および第２のシャッター片１４ａ，１４ｂは、それぞれの自重によって閉じた状態（温風吹出口１３ａの上半分が閉口した状態）となる。
【００１６】
ついで、本体１を立たせた状態で使用した場合と同様に乾燥袋１８を敷きふとんと掛けふとんの間に設置して操作部２１を操作すると、モーター７およびヒーター１０が通電されて温風が乾燥袋１８に送られ、各ふとんを乾燥する。このとき、自重によって閉じていた上側に位置する第１および第２のシャッター片１４ａ，１４ｂも風圧によって回動し、温風吹出口１３ａは全開口する。そして、乾燥が終了して送風発生装置９およびヒーター１０が自動的に同時に通電ＯＦＦ状態になると、上側に位置する第１および第２のシャッター片１４ａ，１４ｂは、それぞれの自重によって元の状態（閉じた状態）に戻り、温風吹出口１３ａの上半分を閉口させて、まだ冷めていない状態のヒーター１０による余熱を接続部材１７側に流れ込みにくくする。なお、下側に位置する第１および第２のシャッター片１４ａ，１４ｂは、それぞれの自重によって温風吹出口１３ａの下半分を開口させるが、上側に位置する第１および第２のシャッター片１４ａ，１４ｂによって余熱が流れにくくなるとともに、流れ込む時間を稼ぐことができるため、その間に冷却させることができる。
【００１７】
そして、敷きふとんと掛けふとんの間に設置していた乾燥袋１８を取り出し、本体１を起こして元の状態に立たせて、乾燥袋１８を適当の大きさに折り畳みながら収納室５内に収納しつつ接続部材１７をほぼＬ字状に折り曲げ、収納蓋１９を閉める。
【００１８】
このように、風圧によって温風吹出口１３ａを開閉するシャッター１４を温風排出管１３に設けたので、乾燥終了直後、送風発生装置９およびヒーター１０の通電ＯＦＦと同時に風圧で上方に回動していた各シャッター片１４ａ，１４ｂが自重によって元の状態に戻り、温風吹出口１３ａを閉口することができる。これにより、乾燥終了直後でまだ冷めていないヒーター１０による余熱の接続部材１７側への流れ込みを防止することができ、接続部材１７および乾燥袋１８の熱変形を防ぐことができる。また、ヒーター１０と温風吹出口１３ａとの距離を極力短くすることができるため、本体１つまりふとん乾燥機全体の構造をコンパクトにすることができ、コストアップを抑え取り扱いの便利なふとん乾燥機を得ることができる。
【００１９】
また、本体１を寝かせた状態で使用した場合でも上側に位置したシャッター片１４ａ，１４ｂが温風吹出口１３ａの半分を確実に閉口するので、ヒーター１０による余熱を接続部材１７側に流れ込みにくくすることができるとともに、接続部材１７側に流れ込む時間を稼ぐことができるため、その間に余熱を冷却させることができ、接続部材１７および乾燥袋１８の熱変形を防止し、全体構造の大型化を防ぐことができる。さらに、本体１を転倒させて送風発生装置９の異常（ファン８停止）が発生しても上側に位置したシャッター片１４ａ，１４ｂが温風吹出口１３ａの半分を確実に閉口するので、上記と同様の効果を得ることができる。
【００２０】
実施の形態２．
図７は本発明の実施の形態２の要部の拡大断面図、図８はその要部の上面図である。この実施の形態２は、実施の形態１に係るふとん乾燥機において、その温風排出管１３の周壁のシャッター１４が設けられている位置より下方に対向して排気穴２４が設けられ、温風排出管１３が貫通して突出している隔壁４の温風排出管１３の近傍に対向して排気口２５が設けられており、排気穴２４と排気口２５はそれぞれ連通風路２６で連結されている。そして、各排気穴２４は、第１のシャッター片１４ａの一方側が上方に回動したときに第１のシャッター片１４ａの他方側でそれぞれを閉口し、第１のシャッター片１４ａが元の状態（水平状態）に位置しているときに開口するように構成されている。
【００２１】
このように構成したこの実施の形態２において、ふとんを乾燥する場合、実施の形態１で説明した場合と同様に、ふとん乾燥機の本体１を立たせた状態で収納蓋１９を開けて収納室５内の接続部材１７および乾燥袋１８を取り出し、乾燥袋１８を敷きふとんと掛けふとんの間に設置する。ついで、本体１に設けられた操作部２１を操作すると、モーター７およびヒーター１０が通電されて外気が送風発生装置９を介してヒーターケース１２に送り込まれ、ヒーター１０で温められて温風となり、温風排出管１３の温風吹出口１３ａから接続部材１７に送られる。このとき、温風排出管１３（温風吹出口１３ａ）に設けられたシャッター１４の各シャッター片１４ａ，１４ｂは、風圧によって各シャッター軸１５ａ，１５ｂを中心にストッパー１６に当たるまで回動し、温風吹出口１３ａを開口するとともに、各第１のシャッター片１４ａの他方側で排気穴２４を閉口し、ヒーターケース１２からの温風を全て温風吹出口１３ａから吹き出させる。次に、接続部材１７を介して乾燥袋１８に送られた温風は、乾燥袋１８の全面から吹き出して敷きふとんおよび掛けふとんを通過し、それぞれの湿気を除去する。これを所定時間行い、各ふとんを乾燥する。
【００２２】
所定時間の乾燥が終了すると、送風発生装置９およびヒーター１０は自動的に同時に通電ＯＦＦ状態となる。このとき、風圧によって上方に回動していたシャッター１４の各シャッター片１４ａ，１４ｂは、自重によって元の状態に戻り、温風吹出口１３ａを閉口させるとともに、各第１のシャッター片１４ａの他方側で閉口していた排気穴２４を開口し、まだ冷めていない状態のヒーター１０による余熱の接続部材１７側への流れ込みをシャッター１４で防止するとともに、開口した各排気穴２４から連通風路２６を介して排気口２５より本体１の外部に排出する。そして、敷きふとんと掛けふとんの間に設置していた乾燥袋１８を取り出し、乾燥袋１８を適当の大きさに折り畳みながら収納室５内に収納しつつ接続部材１７をほぼＬ字状に折り曲げ、収納蓋１９を閉める。
【００２３】
このように、風圧によって温風吹出口１３ａを開閉するシャッター１４の下方の温風排出管１３に、回動した第１のシャッター片１４ａにより閉口される排気穴２４を設けるとともに、温風排出管１３の近傍に排気穴２４と本体１の外部とを連通する排気口２５および連通風路２６を設けたので、乾燥終了直後でまだ冷めていないヒーター１０による余熱の接続部材１７側への流れ込みをシャッター１４で防止することができるととに、余熱をヒーターケース１２内に閉じこめることなく排気穴２４から連通風路２６および排気口２５を介して本体１の外部に排出させることができる。これにより、ヒーターケース１２が異常に過熱することがなくなるとともに、接続部材１７および乾燥袋１８の熱変形を防ぐことができ、また、ヒーター１０と温風吹出口１３ａとの距離を極力短くすることができるため、本体１の構造をコンパクトにすることができ、コストアップを抑え取り扱いの便利なふとん乾燥機を得ることができる。
【００２４】
なお、上述の実施の形態１，２では、各シャッター片１４ａ，１４ｂが自重によって元の状態（水平状態）に戻る場合を示したが、シャッター軸１５ａ，１５ｂにばね等を設けて、シャッター片１４ａ，１４ｂが常時水平状態（温風吹出口１３ａを閉口する状態）に付勢するようにしてもよい。この場合も同様の効果を奏することができる。
また、シャッター軸１５ａ，１５ｂを上面から見て本体１の長手方向（図１の左右方向）に設けた場合を示したが、例えばシャッター軸１５ａ，１５ｂを９０度回転させた位置に設けてもよく、また適宜な角度に設けてもよい。これらの場合はふとん乾燥機（本体１）を立たせて使用ことが望ましく、ふとん乾燥機を寝かせて使用する場合には上述したように上面から見て本体１の長手方向にシャッター軸１５ａ，１５ｂを設けることが望ましい。
【００２５】
【発明の効果】
本発明は以上説明したように、温風発生装置と接続部材との間に風圧によって開閉するシャッターを設けたことにより、全体構造を大型化することなく、温風発生装置側からの余熱の接続部材側への流れ込みを防止することができ、使い勝手のよいふとん乾燥機を得ることができる。
【図面の簡単な説明】
【図１】本発明の実施の形態１の断面で示した正面図である。
【図２】本発明の実施の形態１の側断面図である。
【図３】図２の要部の拡大断面図である。
【図４】図３の要部の上面図である。
【図５】本発明の実施の形態１の寝かせた状態を示す作用説明図である。
【図６】図５の要部の拡大断面図である。
【図７】本発明の実施の形態２の要部の拡大断面図である。
【図８】図７の要部の上面図である。
【符号の説明】
１  本体、９  送風発生装置、１０  ヒーター、１３  温風排出管、１３ａ  温風吹出口、１４  シャッター、１４ａ，１４ｂ  シャッター片、１５ａ，１５ｂ  シャッター軸、１６  ストッパー、１７  接続部材、２４  排気穴、２５  排気口、２６  連通風路。
【図１】
2004181151.tif 000003
【図２】
2004181151.tif 000004
【図３】
2004181151.tif 000005
【図４】
2004181151.tif 000006
【図５】
2004181151.tif 000007
【図６】
2004181151.tif 000008
【図７】
2004181151.tif 000009
【図８】
2004181151.tif 000010